(57)【要約】【課題】住宅の建築時またはその後に仏壇が必要になった場合でも、大掛かりな工事をおこなうことなく、かつ、居住空間を狭めることなく仏壇を据え付け、それまでは床の間に代わる現代の心の空間を確保する。【解決手段】本考案の仏壇は、居住空間内の壁に、所定の開口幅、開口高さおよび奥行きを有する凹所が穿設され、当該凹所内に、複数のプレートと、該複数のプレートを互いに離間して支持する支持体からなる雛壇が設置されてなることを特徴としている。【選択図】図２（ａ）
0003131117.tif 000002
【実用新案登録請求の範囲】
【請求項１】
居住空間内の壁に、所定の開口幅、開口高さおよび奥行きを有する凹所が穿設され、
当該凹所内に、複数のプレートと、該複数のプレートを互いに離間して支持する支持体からなる雛壇が設置されてなる
ことを特徴とする仏壇。
【請求項２】
前記凹所の開口部に扉が設けられてなる請求項１記載の仏壇。
【請求項３】
前記雛壇が、前記凹所内に設置された箱体に収容されてなる請求項１記載の仏壇。
【考案の詳細な説明】
【技術分野】
【０００１】
本考案は、仏壇および仏壇の構成部品に関する。更に詳しくは、壁体に規格化して形成された凹所に嵌め込まれてなる仏壇および仏壇の構成部品に関する。なお、本明細書中でいう凹所とは、床の間、押入れ、地袋の上の空間、天袋を含まない概念である。また、本明細書中でいう壁体とは、システム収納家具、システム収納壁をも含む概念である。
【背景技術】
【０００２】
従来、日本には、居住空間内に仏壇を設けて、亡くなった人を供養する習慣がある。また、日本では、書画、置物、花瓶などを飾って楽しむ床の間を居住空間に設ける習慣がある。
【０００３】
その一方で、集合住宅などにおいては、生活空間の確保を最優先させるという理由から、仏壇を設ける空間や床の間などを省いて設計する傾向にある。しかしながら、最近では、高齢者専用のマンションなどへの需要が高まりつつあることから、高齢者特有の生活スタイルに応じた空間、例えば仏壇を設ける空間や床の間などの、心の空間を確保する、という提案をしていかなければならない。
【考案の開示】
【考案が解決しようとする課題】
【０００４】
本考案は、現代人に心の空間を確保することができ、かつその空間に、住宅の建築完成時、またはその後に仏壇または仏壇の構成部品を据え付けて仏壇にできるようにすることを目的とする。また、据え付けたシステム収納家具によって構成される前面部を壁体として機能させて、仏壇または仏壇の構成部品を据え付けて仏壇にできるようにすることを目的としている。
【課題を解決するための手段】
【０００５】
本考案の仏壇は、居住空間内の壁に、所定の開口幅、開口高さおよび奥行きを有する凹所が穿設され、
当該凹所内に、複数のプレートと、該複数のプレートを互いに離間して支持する支持体からなる雛壇が設置されてなる
ことを特徴としている。
【０００６】
また、前記凹所の開口部に扉を設けることができる。
【０００７】
また、前記雛壇を、前記凹所内に設置された箱体に収容してもよい。
【考案の効果】
【０００８】
本考案によれば、現代人に心の空間を確保することができ、かつその空間に、住宅の建築完成時、またはその後に仏壇または仏壇の構成部品を据え付けて仏壇にできるようにすることができる。また、据え付けたシステム収納家具の前面を壁体として機能させて、当該壁体に設けられた凹所ないしは空間に仏壇または仏壇の構成部品を設置できるようにすることもできる。
【考案を実施するための最良の形態】
【０００９】
本考案の仏壇または仏壇の構成部品は、壁体に形成された凹所（ないしは空間）に嵌め込まれている。
【００１０】
添付図面を参照して、本考案の仏壇および仏壇を構成する部品を以下で詳細に説明する。
【００１１】
図１（ａ）は、本考案に用いられる壁体に形成された凹所を説明するための図、図１（ｂ）は、本考案に用いられる壁体に形成された凹所の他の一例を説明するための図、図２（ａ）は、図１（ａ）に対応する凹所に本考案の仏壇が嵌め込まれる様子を説明するための図、図２（ｂ）は、図１（ｂ）に対応する凹所を説明するための図、図３は、図１（ａ）の壁体に形成された凹所に、仏壇を構成する部品を組み込む場合を説明するための図、図４の（ａ）は、仏壇に組み込む電球とその周辺器具を説明するための斜視図であり、（ｂ）は、電球とその周辺器具を凹所に組み込んだ状態を説明するための断面図、図５は、本考案に用いられるシステム収納家具に設けられた仏壇設置部を説明するための図、図６は、図５の仏壇設置部に本考案の仏壇が嵌め込まれる様子を説明するための図、図７は、図５の仏壇設置部に本考案の仏壇を構成する部品を組み込む場合を説明するための図、図８は本考案の仏壇を構成する雛壇の断面構造の一例を示す説明図、図９は図８の雛壇を構成するプレートと中間支持体との固着方法を示す側面説明図である。
【００１２】
実施の形態１
実施の形態１では、壁体に形成されている規格化された凹所に仏壇を嵌め込む形態について説明する。
【００１３】
通常、仏壇は、箱体と、該箱体内には、複数の矩形状のプレートと、該複数のプレートを互いに離間して支持する支持体からなる雛壇が設けられている。そして雛壇を構成しているプレート上に、御本尊、位牌や五具足等の仏具が設置される。
【００１４】
なお、本考案においては、雛壇を仏壇の必須構成要件としている。
【００１５】
マンション、アパートや、戸建の住宅における、鉄筋コンクリート壁、板壁、塗り壁などの壁には、図１（ａ）および図１（ｂ）に示されるような凹所（ないしは空間）Ｗａ（図１（ａ）参照）、凹所（ないしは空間）Ｗｂが設けられている。
【００１６】
図１（ａ）および図１（ｂ）に示されるような凹所Ｗａ、凹所Ｗｂの大きさは、規格化された寸法（幅×奥行き×高さ）を有している。凹所Ｗａ、凹所Ｗｂの規格化された寸法としては、とくに限定されるものではないが、例えば、幅×奥行き×高さ（単位：ｍｍ）として、表１、表２、表３に示される寸法を任意に組み合わせた大きさのものを挙げることができる。
【００１７】
【表１】
0003131117.tif 000003
【００１８】
【表２】
0003131117.tif 000004
【００１９】
【表３】
0003131117.tif 000005
【００２０】
図２（ａ）に示されるように、通常、マンションなどの壁Ｗには、たとえば、幅×奥行き×高さが４５４ｍｍ×４０４ｍｍ×６０９ｍｍの凹所Ｗａが設けられている。そして、この凹所Ｗａは平素は、一輪挿しなどの花瓶や、人形や、電気式燭台などの装飾品、文学全集、美術全集などの書籍類が設置される。
【００２１】
本実施の形態にかかわる仏壇は、このように平素は一輪挿しなどの花瓶や、人形や、電気式燭台などの装飾品、文学全集、美術全集などの書籍類が設置される凹所Ｗａに、前述の雛壇が設置されたものである。
【００２２】
雛壇としては、たとえば、図８に示される構造を有するものを採用することができる。
【００２３】
図８を参照すると、雛壇４１は、３つのプレート４２ａ、４２ｂ、４２ｃとからなるプレート群４２２と、プレート４２ａとプレート４２ｂとを離間し、水平に支持する円筒状（または角柱状）の中間支持体４３ａと、プレート４２ｂとプレート４２ｃとを離間し、水平に支持する円筒状（または角柱状）の中間支持体３ｂとから構成されている。
【００２４】
プレート４２ａ、４２ｂ、４２ｃと、中間支持体４３ａ、４３ｂとは接着剤によって固着されるか、図９に示されるように、中間支持体３の上端および下端に雄螺子４３ｍを設け、中間支持体４３とプレート４２ａおよび４２ｂとのあいだにスペーサＣを介在させ、スペーサＣに雌螺子Ｒを設けて雄螺子４３ｍと雌螺子とを螺合させることによってプレート４２ａ、４２ｂと、中間支持体４３とを固着される。なお、雛壇はこの形状に限定されるものではない。例えば、階段状などの雛壇であってもよい。
【００２５】
また、本実施の形態にかかわる仏壇は、図２（ａ）に示されるような箱体内に前述の雛壇が設置されたものであってもよい。このように箱体内に前述の雛壇が設置された仏壇１１を前述の幅×奥行き×高さが４５４ｍｍ×４０４ｍｍ×６０９ｍｍの凹所Ｗａに設置する場合、仏壇１１の大きさとしては、幅×奥行き×高さが、４５０ｍｍ×４００ｍｍ×６０５ｍｍであればよい。すなわち、仏壇１１の各寸法と凹所の各寸法との差が、それぞれ片側で３０ｍｍ以下、より好ましくは５ｍｍ以下であることが好ましい。仏壇１１の大きさと凹所Ｗａの大きさとの差が１０ｍｍを超えると、仏壇１１の外周に無駄な空間が生じるので、仏壇が居住空間に馴染まず、インテリアを損ねてしまうという問題が発生する。なお、仏壇１１は、その奥行きが完全に凹所Ｗａ内に嵌り込んでいる必要はなく、仏壇１１を壁体Ｗからせり出して据え付けてもよい。この場合、凹所Ｗａの奥行きの寸法を小さく設定することができるので、壁体Ｗの厚さを厚くすることができない場合に対応できる。
【００２６】
また、凹所Ｗａを構成する面のうち上面には照明用の電源２が引き込まれている。このように、凹所Ｗａに照明器具を設けられる構造とすることで、凹所Ｗａに仏壇が収まっていない場合に、凹所Ｗａそのものを、ニッチや飾り棚として使用することができる。
【００２７】
なお、本実施の形態では、図２（ｂ）に示されるような、平素は、本棚や、食器棚、電気式燭台、装飾品が設置される棚として機能させることもできる棚１２を壁体Ｗの凹所Ｗｂに嵌め込む形態であってもよい。この形態にかかわる仏壇は、棚１２に前述の雛壇を設置されたものである。このように雛壇が組み込まれる棚１２の寸法としては、とくに限定されるものではないが、例えば、幅×奥行き×高さ（単位はｍｍ）として、表４、表５、表６に示されている寸法を任意に組み合わせた大きさのものを用いることができる。
【００２８】
【表４】
0003131117.tif 000006
【００２９】
【表５】
0003131117.tif 000007
【００３０】
【表６】
0003131117.tif 000008
【００３１】
実施の形態２
実施の形態２では、壁体Ｗに形成された凹所Ｗａに、凹所Ｗａの寸法に応じた部品を組み込むことで仏壇を構成する形態について説明する。
【００３２】
図３に示されるように、凹所Ｗａに、仏壇を構成する部品として、雛壇３（プレート３１、プレート３２）が組み込まれる。
【００３３】
また、凹所Ｗａを構成する面のうち、上面には照明用の電源２が引き込まれている。例えば、図４（ａ）に示されるような照明器具用支持部材５１を凹所Ｗａの上部に取り付ける（図４（ｂ）参照）。符号５１ａは、側壁５３ｂと、鍔状体５３ａと、板バネ５３ｃとから構成された遮光具５３を装着するための孔である。この照明器具用支持部材５１の正面には、図４（ａ）に示されるように、欄間のような模様が施された正面板５２を設けることが好ましい。このような模様が施されていることにより、意匠面に配慮することができる。なお、照明器具は本考案において、必須の構成要素ではなく、必要に応じて設けることができる。さらに、板バネ５３ｃの数は図４（ａ）および図４（ｂ）に示されるような４枚に限定されるものではない。
【００３４】
このように仏壇を構成する部品を壁体Ｗに形成された凹所Ｗａに組み込む形態を用いることにより、居住空間のインテリアによく馴染み、一層経済的な仏壇を得ることができる。
【００３５】
実施の形態３
実施の形態３では、システム収納家具によって構成される前面（front surface）を壁面として機能せしめ、当該壁面に設けられた空間（凹所）に、本考案の仏壇または仏壇の必須構成要素である雛壇を嵌め込む形態について説明する。
【００３６】
なお、システム収納家具とは、様々な機能を持つ家具を相互に関連づけ、合理的に系統化した家具を意味している。
【００３７】
図５および図６に示される、システム収納家具１００は、箱状の枠体、棚板、天板、パネル（サイドパネル、バックパネル）、引き出し、扉、台輪、仕切板、脚部などの部品が組み合わされて構成されている。これらの部品はいずれもシステム収納家具用にそのサイズが規格化されている。
【００３８】
システム収納家具１００の全体の大きさおよび形状は、使用者の必要に応じて、あるいは、壁の凹みなどの空間に応じて、前記部品を組み合わせて多様に設定することができる。システム収納家具１００の全体の大きさとしては、とくに限定されるものではないが、例えば、幅×奥行き×高さ（単位はｍｍ）として、前述した表４、表５、表６に示される寸法を任意に組み合わせた大きさのものを用いることができる。
【００３９】
このように、規格化された部品を組み合わせて構成されたシステム収納家具１００から構成される壁面には、本考案の凹所として機能する仏壇または仏壇の必須構成要素である雛壇の設置部として機能する空間（凹所）１００ａが設けられている。
【００４０】
仏壇または仏壇の必須構成要素である雛壇の設置部１００ａの大きさとしては、とくに限定されるものではないが、例えば、幅×奥行き×高さ（単位はｍｍ）が、前述した表１、表２、表３に示される寸法を任意に組み合わせた大きさのものを用いることができる。例えば、図６に示されるように、空間１００ａの大きさ（幅×奥行き×高さ）が４５４ｍｍ×４０４ｍｍ×６０９ｍｍの場合には、仏壇１１の大きさ（幅×奥行き×高さ）として４５０ｍｍ×４００ｍｍ×６０５ｍｍのものを選定すればよい。仏壇の各寸法と空間１００ａの各寸法との差は、それぞれ片側で３０ｍｍ以下、より好ましくは５ｍｍ以下であることが好ましい。
【００４１】
実施の形態４
実施の形態４では、システム収納家具１００の仏壇設置部１００ａに、システム収納家具１００の規格寸法に応じた部品を組み込むことで仏壇を構成する形態について説明する。
【００４２】
実施の形態４のシステム収納家具１００の構成は、実施の形態３のシステム収納家具１００と同様であるので、ここでの説明は省略する。
【００４３】
仏壇設置部１００ａは、実施の形態３と同様の考え方に基づいてその大きさが決定されている。本実施の形態においては、システム収納家具１００から構成される壁面に設けられ空間１００ａを利用して仏壇を構成するものである。図７に示されるように、システム収納家具１００から構成される壁面に設けられ空間１００ａに、仏壇を構成する部品として、雛壇３が組み込まれる（なお、プレートと支持体とがすべて固着される必要がなく、それぞれが別体として設置する際に積み重ねられた構成であってもよい）。システム収納家具１００から構成される壁面に設けられ空間１００ａに設置される雛壇３のプレート上には、御本尊、位牌や五具足等の仏具が設置される。例えば、空間１００ａの上面に照明用の電源を引き込み、図４および図７に示されるような照明器具用支持部材５を空間１００ａの上部に取り付けてもよい。さらに、照明器具用支持部材５の正面には、欄間のような模様が施された正面板を設けてもよい。欄間のような模様が施されていることにより、意匠面に配慮することができる。
【００４４】
仏壇を構成する部品としては、実施の形態３で述べた規格化された空間１００ａに合うように規格化された部品を用いることができる。例えば、規格化された仏壇設置部１００ａの幅×奥行き×高さに相当する規格寸法が、４９０ｍｍ×４４０ｍｍ×６４５ｍｍである場合には、プレート３１の幅×奥行き×厚さを、４８５ｍｍ×２６０ｍｍ×１００ｍｍ、プレート３２の幅×奥行き×厚さを、４８５ｍｍ×１３０ｍｍ×１００ｍｍのように定め、空間１００ａの幅と奥行きを考慮して雛壇３のサイズを規格化する。
【００４５】
このように、仏壇を構成する部品をシステム収納家具１００によって構成された壁面に設けられた空間１００ａに組み込む形態を用いることにより、居住空間のインテリアによく馴染み、一層経済的な仏壇を得ることができる。
【００４６】
以上の実施の形態によれば、平素は、一輪挿しなどの花瓶や、人形や、電気式燭台などの装飾品、文学全集、美術全集などの書籍類が設置されたり、床の間として使用される凹所や空間に、仏壇や仏壇を構成する雛壇を設置することで、後に仏壇が必要になった場合でも、幾日にも亘る大掛かりな工事をおこなうことなく、かつ、居住空間を狭めることなく仏壇や雛壇を設置することができる。
【００４７】
なお、本考案は、マンションなどの集合住宅や一戸建てに用いられる壁体を想定しており、建築物の建造時に本考案に用いられる壁体を設置してもよいが、とくに限定されるものではなく、建築物の建造（または、修繕）後、後付けの壁体（システム収納壁、システム収納家具）として居住空間に設置してもよい。後付けの壁体を居住空間に設置する場合、工場で製造された凹所が形成された壁体を搬送してきて、居住空間に設置してもよい。
【００４８】
また、上記実施の形態では、建築物の建造後に仏壇を壁体の凹所に嵌め込む場合について説明したが、本考案はこれに限定されるものではなく、建築物の建造（または、修繕）時に現場で仏壇を組立てて壁体の凹所に組み込む形態であってもよい。
【００４９】
また、上記実施の形態では、壁体に１つだけの凹所（ないしは空間）が形成されている場合について説明したが、本考案はこれに限定されるものではなく、壁体に複数の規格化された凹所を形成してもよい。
【００５０】
また、上記実施の形態では、壁体に形成された凹所や空間に仏壇、仏壇や雛壇が組み込まれる棚を嵌め込む場合について説明したが、本考案はこれに限定されるものではない。
【図面の簡単な説明】
【００５１】
【図１（ａ）】本考案に用いられる壁体に形成された凹所を説明するための図である。
【図１（ｂ）】本考案に用いられる壁体に形成された凹所の他の一例を説明するための図である。
【図２（ａ）】図１（ａ）に対応する凹所に本考案の仏壇が嵌め込まれる様子を説明するための図である。
【図２（ｂ）】図１（ｂ）に対応する凹所に本考案の仏壇が嵌め込まれた状態を説明するための図である。
【図３】図１（ａ）の壁体に形成された凹所に、仏壇を構成する部品を組み込む場合を説明するための図である。
【図４】（ａ）は、仏壇に組み込む電球とその周辺器具を説明するための斜視図であり、（ｂ）は、電球とその周辺器具を凹所に組み込んだ状態を説明するための断面図である。
【図５】本考案に用いられるシステム収納家具に設けられた仏壇設置部を説明するための図である。
【図６】図５の仏壇設置部に本考案の仏壇が嵌め込まれる様子を説明するための図である。
【図７】図５の仏壇設置部に本考案の仏壇を構成する部品を組み込む場合を説明するための図である。
【図８】本考案の仏壇を構成する雛壇の断面構造の一例を示す説明図である。
【図９】図８の雛壇を構成するプレートと中間支持体との固着方法を示す側面説明図である。
【符号の説明】
【００５２】
１１、１２  仏壇
２  照明用の電源
３、４１  雛壇
３１、３２、４２ａ、４２ｂ、４２ｃ  プレート
４３ａ、４３ｂ  中間支持体
１００  システム収納家具
１００ａ  空間（凹所）
Ｗ  壁体
Ｗａ、Ｗｂ  凹所
ｆ  床面
【図１（ａ）】
0003131117.tif 000009
【図１（ｂ）】
0003131117.tif 000010
【図２（ａ）】
0003131117.tif 000011
【図２（ｂ）】
0003131117.tif 000012
【図３】
0003131117.tif 000013
【図４】
0003131117.tif 000014
【図５】
0003131117.tif 000015
【図６】
0003131117.tif 000016
【図７】
0003131117.tif 000017
【図８】
0003131117.tif 000018
【図９】
0003131117.tif 000019